(57)【要約】【課題】既存設備に損傷を与えず、取り付け・取り外しが容易、かつ、特定の適用場面（短期間設置、開放阻止の対象が近親者、設置する場所が賃貸住宅、など）に適した引き違い戸固定具を提供する。【解決手段】枠体の下部に２本の平行移動路を備えるとともに、奥側の移動路上を移動自在に設置された第１戸板６１と、手前側の移動路上を移動自在に設置された第２戸板６２とを有する１組の引き違い戸において、当該枠体を構成する第１支柱９１と前記第２戸板６２との間に取り付ける第一固定具１０と、当該枠体を構成する第２支柱９２と前記第１戸板６１との間に取り付ける第二固定具２０と、前記第一固定具上に装備した第一固定具ロック機構３０とで構成する引き違い戸固定具１を提供する。【選択図】図７
2013241828.tif 000002
【特許請求の範囲】
【請求項１】
枠体の下部に複数本の平行移動路を備え、一方の移動路を移動する第１戸板と他方の移動路を移動する第２戸板とを有する１組の引き違い戸において、
枠体と第２戸板の一方側端部との間に取り付ける第一固定具（１０）と、
前記枠体と第１戸板の一方側端部との間に取り付ける第二固定具（２０）と、
を有し、
前記第一固定具上に少なくとも１個の錠からなる第一固定具ロック機構（３０）を装備した引き違い戸固定具。
【請求項２】
前記第一固定具ロック機構（３０）として、第一固定具上に２個の開閉錠（１０１５、１０２５）を装備し、かつ、第１棒体錠被係止レバー結合体を第一固定具取り付け部屋とは異なる部屋に備えた請求項１に記載の引き違い戸固定具。
【請求項３】
前記第一固定具ロック機構（３０）として、第一固定具上に１個の開閉錠（１０２５）と１体の第１棒体被結合体（１０１６）を装備し、かつ、第１棒体錠被係止レバー結合体を第一固定具取り付け部屋とは異なる部屋に備えた請求項１に記載の引き違い戸固定具。
【請求項４】
前記第二固定具が、第一固定具と同一形状である請求項１から請求項３に記載のうちいずれか１項に記載の引き違い戸固定具。
【請求項５】
枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも１個の錠からなる第一固定具ロック機構を装備した引き違い戸固定具を取り付けて当該引き違い戸の開放を阻止する方法であって、
前記第１戸板を前記第二固定具で固定する工程と、
前記第２戸板を前記第一固定具で固定する工程と、
前記第一固定具を前記錠で固定し取り外しを防止する工程と、
により１組の引き違い戸の開放を阻止する方法。
【請求項６】
枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも２個の開閉錠および第１棒体錠被係止レバー結合体とからなる第一固定具ロック機構を装備した引き違い戸固定具を取り付けて当該引き違い戸の開放を阻止する方法であって、
前記第一固定具ロック機構の一部である第１棒体錠被係止レバー結合体を前記第一固定具取り付け部屋とは異なる部屋に設置する工程と、
前記第１戸板を第二固定具で固定する工程と、
前記第２戸板を第一固定具で固定する工程と、
前記錠で前記第一固定具を前記２個の錠で固定し取り外しを防止する工程と、
により１組の引き違い戸の開放を阻止する方法。
【発明の詳細な説明】
【技術分野】
【０００１】
本願発明は、引き違い戸固定具および引き違い戸の開放阻止方法に関するものである。
【背景技術】
【０００２】
従来より、各種の扉や窓の各部に取り付けて当該扉や窓の開放を阻止することにより、屋外から屋内への侵入を阻止（防止）する様々な防犯錠が存在する。
【０００３】
また、つっかい棒を利用した簡易構造のロック装置も考案されている（例えば、特許文献１および特許文献２）。
【先行技術文献】
【特許文献】
【０００４】
【特許文献１】特開２００６−１６１３９４号公報
【特許文献２】特開２００３−２７８４３０号公報
【発明の概要】
【発明が解決しようとする課題】
【０００５】
上述で記載した様な屋外から屋内への侵入を阻止（防止）する一般的な防犯錠の中には引き違い戸に取り付け可能な防犯錠も存在するが、屋外から屋内への侵入を阻止（防止）する一般的な防犯錠は、既存設備である引き違い戸を構成する戸板又は当該戸板の周辺設備（枠体、支柱、移動路、梁、など）に穴を開けて固定、ネジを打って固定又は強力な接着剤や接着テープで貼付して固定する必要がある。したがって、取り外し時に現状復帰が発生し得る環境下（賃貸住宅の退去時など）においては、穴を開けた箇所の補修・復旧に費用が発生する問題、接着剤や接着テープを貼付した箇所についての問題（剥離できない、剥離跡が残る、既存設備まで剥離してしまう等）があり、使用し辛い。
【０００６】
また、一般的な防犯錠では、特定の適用場面で使用する場合には、使用し辛く又は流用できない場合もある。
【０００７】
前記で記載した特定の適用場面とは、例えば、賃貸住宅の押し入れの引き違い戸に使用する場合において、突発的又は定期的来訪者に対して、当該来訪者が居る間だけのごく短期間（短時間）のみ取り付けを行う場合であったり、例えば、賃貸住宅の部屋間を仕切る引き違い戸に使用する場合において、当該一方の部屋に滞在する近親者等に対して、引き違い戸の自由開閉を行う時間帯と開閉阻止を行う時間帯を切り替えたい場合などである。
【０００８】
そこで、本願発明では、取り外し時に現状復帰が発生し得る環境下又は特定の適用場面で使用する場合に適した、既存設備への損傷防止を重視し、かつ、取り付け・取り外しなどの作業が容易である引き違い戸固定具および引き違い戸の開放阻止方法を提供することを課題とする。
【課題を解決するための手段】
【０００９】
本願発明の引き違い戸固定具は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも１個の錠からなる第一固定具ロック機構を装備した引き違い戸固定具を提供する。
【００１０】
また、本願発明の引き違い戸固定具は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも２個の開閉錠および第１棒体錠被係止レバー結合体からなる第一固定具ロック機構を装備し、第１棒体錠被係止レバー結合体を前記第一固定具取り付け部屋とは異なる部屋（例えば、前記第二固定具取り付け部屋）に備えた引き違い戸固定具を提供する。
【００１１】
また、本願発明の引き違い戸固定具は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に１個の開閉錠と１体の第１棒体被結合体および第１棒体錠被係止レバー結合体からなる第一固定具ロック機構を装備し、第１棒体錠被係止レバー結合体を前記第一固定具取り付け部屋とは異なる部屋（例えば、前記第二固定具取り付け部屋）に備えた引き違い戸固定具を提供する。
【００１２】
また、本願発明の引き違い戸固定具は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも２個の開閉錠および第１棒体錠被係止レバー結合体からなる第一固定具ロック機構を装備し、第１棒体錠被係止レバー結合体を前記第一固定具取り付け部屋とは異なる部屋（例えば、前記第二固定具取り付け部屋）に備え、前記第二固定具が、第一固定具と同一形状である引き違い戸固定具を提供する。
【００１３】
また、本願発明の引き違い戸の開放阻止方法は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも１個の錠からなる第一固定具ロック機構を装備した引き違い戸固定具を取り付けて当該引き違い戸の開放を阻止する方法であって、前記第１戸板を前記第二固定具で固定する工程と、前記第２戸板を前記第一固定具で固定する工程と、前記第一固定具を前記錠で固定し取り外しを防止する工程とにより１組の引き違い戸の開放を阻止する方法を提供する。
【００１４】
また、本願発明の引き違い戸の開放阻止方法は、枠体の下部に複数本の平行移動路を備え、一方の移動路を移動する第１戸板と他方の移動路を移動する第２戸板とを有する１組の引き違い戸において、枠体と第２戸板の一方側端部との間に取り付ける第一固定具と、前記枠体と第１戸板の一方側端部との間に取り付ける第二固定具とを有し、前記第一固定具上に少なくとも２個の錠および第１棒体錠被係止レバー結合体とからなる第一固定具ロック機構を装備した引き違い戸固定具を取り付けて当該引き違い戸の開放を阻止する方法であって、前記第一固定具ロック機構の一部である第１棒体錠被係止レバー結合体を前記第一固定具取り付け部屋とは異なる部屋に設置する工程と、前記第１戸板を第二固定具で固定する工程と、前記第２戸板を第一固定具で固定する工程と、前記錠で前記第一固定具を前記２個の錠で固定し取り外しを防止する工程とにより１組の引き違い戸の開放を阻止する方法を提供する。
【発明の効果】
【００１５】
本願発明の引き違い戸固定具は、鍵の所持者のみしか引き違い戸固定具を取り外すことができないため、鍵を所持しない者からの引き違い戸の開放を阻止することができる。
【００１６】
また、本願発明の引き違い戸固定具は、枠体を構成する各支柱と枠体内で移動する各戸板との間の空間および戸板相互間の隙間空間を巧みに利用した引き違い戸固定具であるため、取り付け・取り外しの時に既設設備には穴、剥離跡、傷などをいっさい残さない。
【００１７】
また、本願発明の引き違い戸固定具は、取り付け・取り外しだけでなく、戸板の幅に応じた長さ調節も簡単である。
【図面の簡単な説明】
【００１８】
【図１】図１は、実施例１の第一固定具を構成する第１棒体の斜視図である。
【図２】図２は、実施例１の第一固定具を構成する第２棒体の斜視図である。
【図３】図３は、実施例１の第二固定具を構成する第３棒体の斜視図である。
【図４】図４は、第３棒体の変形例１の斜視図である。
【図５】図５は、第３棒体（第一固定具と同一形状）の変形例２（実施例２の第二固定具）の斜視図である。
【図６】図６は、実施例１の第二固定具の取り付け作業を示すイメージ図である。
【図７】図７は、実施例１の第一固定具の取り付け作業を示すイメージ図である。
【図８】図８は、第２棒体錠の施錠後動作を示す図である。
【図９】図９は、実施例１の引き違い戸固定具を取り付け後の状態を上部方向から見た図である。
【図１０】図１０は、実施例１の引き違い戸固定具を取り付け後の状態を押し入れ側から見た図である。
【図１１】図１１は、実施例２の引き違い戸固定具を取り付け後の状態を上部方向から見た図である。
【図１２】図１２は、実施例２の引き違い戸固定具の主な構成を部屋Ｂ側から見た図である。
【図１３】図１３は、実施例２の引き違い戸固定具を主な構成を部屋Ａ側から見た図である。
【図１４】図１４は、第１棒体錠の拡大斜視図である。
【図１５】図１５は、実施例２の第１棒体錠被係止レバー結合体の斜視図である。
【図１６】図１６は、第１棒体錠被係止レバー結合体の変形例１の拡大斜視図である。
【図１７】図１７は、第１棒体錠被係止レバー結合体の変形例２の拡大斜視図である。
【図１８】図１８は、第１棒体錠の変形例２及び第１棒体錠被係止レバー結合体の変形例３の拡大斜視図である。
【図１９】図１９は、第１棒体錠の変形例３の拡大斜視図である。
【図２０】図２０は、第１棒体の変形例１を示す断面図である。
【図２１】図２１は、第１棒体の変形例２を示す断面図である。
【図２２】図２２は、第２棒体の変形例１を示す断面図である。
【図２３】図２３は、第２棒体の変形例２を示す断面図である。
【図２４】図２４は、実施例３の第一固定具の斜視図である。
【図２５】図２５は、実施例３の第一固定具ロック機構の一部の斜視図である。
【発明を実施するための形態】
【００１９】
賃貸住宅の屋内に備える引き違い戸に、当該引き違い戸固定具を取り付けて使用する。
【実施例１】
【００２０】
まずは、実施例１の引き違い戸固定具の構成について、図１から図５、図７及び図２０から図２３に従い説明する。
【００２１】
引き違い戸固定具（１）は、概ね四角柱形状の第１棒体基礎部（１０１１）と、前記第１棒体基礎部（１０１１）を構成する長方形状側面の短手方向中央部が突出した第１棒体凸状部（１０１２）と、前記第１棒体基礎部（１０１１）に設けた調節ネジ孔（１０１１ｈ）及び中空部（１０１３ｈ）とで構成した第１棒体（１０１）と、前記第１棒体中空部（１０１３ｈ）に嵌挿する柱状嵌挿部（１０２３）を有し概ね四角柱形状の第２棒体基礎部（１０２１）と、前記第２棒体基礎部（１０２１）を構成する長方形状側面の長手方向中央部辺りから突出した第２棒体凸状部（１０２２）とで構成した第２棒体（１０２）と、からなる第一固定具（１０）と、四角柱形状の第３棒体（２０１）のみで構成した第二固定具（２０）と、前記第２棒体（１０２）上に装備した第２棒体錠（１０２５）のみで構成する第一固定具ロック機構（３０）とで構成する。
【００２２】
前記調節ネジ孔（１０１１ｈ）を設ける側面は、前記第１棒体基礎部（１０１１）を構成する４面の長方形状側面であればいずれの側面でも良いが、当該調節ネジ孔（１０１１ｈ）に螺入したネジを第三者が外し難いようにすることを考慮すれば、前記第一固定具を取り付けたときに視認できない側の側面（裏面側）に設ける方が好ましい。
【００２３】
前記第１棒体凸状部（１０１２）の形状等は、枠体の下部に位置する戸板の平行移動路の形状に対応させる方が好ましく、図２０に示す様な底面が平坦状又は図２１に示す様な凹状でも構わない。
【００２４】
前記第１棒体中空部（１０１３ｈ）の中空部形状は、四角柱形状であるが、前記柱状嵌挿部（１０２３）が嵌挿可能で第一固定具（１０）全体として伸縮自在に作動できれば良く、他の形状にも設計変更可能である。
【００２５】
前記第２棒体凸状部（１０２２）の形状等は、枠体の下部に位置する戸板の平行移動路の形状に対応させる方が好ましく、図２２に示す様な底面が平坦状又は図２３に示す様な凹状でも構わない。
【００２６】
前記第一固定具（１０）は、枠体を構成する第１支柱（９１）と第２戸板（６２）との間に載置して（取り付けて）使用し、前記第二固定具（２０）は、枠体を構成する第２支柱（９２）と第１戸板（６１）との間に取り付けて使用する。
【００２７】
なお、前記第二固定具（２０）を構成する第３棒体（２０１）の長さは、第２支柱（９２）と第１戸板（６１）との間の距離と略同一である。
【００２８】
前記第二固定具（２０）を構成する第３棒体（２０１）の形状、材質及び構成は、四角柱形状の木製角材単体であるが、第２支柱（９２）と第１戸板（６１）との間に載置する（取り付ける）ことにより、前記第１戸板（６１）の開放を阻止することができる程度の強度があれば良く、他の形状、材質及び構成にも設計変更し得る。
【００２９】
例えば、図４の様な、円筒形状の金属製又は樹脂製の伸縮自在棒（２０２）にすることも可能である。
【００３０】
また、図５の様に、前記第１棒体（１０１）と同一形状の第３棒体（２０３）及び前記第２棒体（１０２）と同一形状の第４棒体（２０４）の組み合わせとすることも可能である。
【００３１】
前記第一固定具ロック機構（３０）は、前記第２棒体基礎部（１０２１）の端部近傍に備える鍵穴（１０２５１）と、前記鍵穴（１０２５１）に挿入し回動動作を行う鍵（１０２５３）と、前記鍵の回動動作に対応して前記第２棒体基礎部（１０２１）の先端凹み部と第２戸板（６２）の裏面側との間を回動する金属製の薄板である固定レバー（１０２５２）とからなる前記第２棒体錠（１０２５）のみで構成する。
【００３２】
なお、前記第一固定具ロック機構（３０）は、前記第一固定具（１０）を不用意に取り外されること（持ち上げ、引っ張りなど）を防止するための機構である。
【００３３】
次に、部屋Ａと押し入れとを分離する引き違い戸に実施例１の引き違い戸固定具を取り付ける場合の設置作業手順について、図６から図１０に従い説明する。
【００３４】
押し入れ（７１）側に近い第１戸板である押し入れ側戸板（６１）及び部屋Ａ（７２）側に近い第２戸板である部屋Ａ側戸板（６２）を、枠体を構成する第１支柱（９１）側（図６で示す左側）に移動し、枠体を構成する第２支柱（９２）と前記押し入れ側戸板（６１）の端部との間に第二固定具（２０）である第３棒体（２０１）を載置する（図６）。
【００３５】
次に、前記部屋Ａ側戸板（６２）を前記第２支柱（９２）側（図７で示す右側）に移動し、前記第１支柱（９１）と前記部屋Ａ側戸板（６２）の端部との間に第一固定具（１０）である第１棒体（１０１）及び第２棒体（１０２）を載置する（取り付ける）。
【００３６】
なお、前記第一固定具（１０）の長さ調節が必要な場合には、前記第２棒体（１０２）を前記第１支柱（９１）側又は前記部屋Ａ側戸板（６２）側に移動する。長さ調節が終われば、調節ネジ孔（１０１１ｈ）にネジを螺入し前記第一固定具（１０）の長さを固定する（図７）。
【００３７】
次に、前記第２棒体（１０２）上に装備した第２棒体錠（１０２５）を構成する鍵穴（１０２５１）に、鍵（１０２５３）を挿入して時計回りに１８０度回転する。
【００３８】
前記鍵（１０２５３）の挿入後１８０度回転動作により、前記鍵（１０２５３）の回転動作と対応して固定レバー（１０２５２）が、前記第２棒体（１０２）の先端凹み部から前記部屋Ａ側戸板（６２）の裏面側に回転スライド移動する。以上で取り付け作業が完了である（図８から図１０の状態）。なお、取り付け作業が完了した状態を上部方向から見た図が図９で、押し入れ（７１）側から見た図が図１０である。
【００３９】
なお、部屋Ａ側戸板（６２）の裏面側に回転スライド移動した前記固定レバー（１０２５２）により、前記第一固定具（１０）は、不用意に取り外されることが無くなる。
【００４０】
なお、鍵（１０２５３）を所持しない者は、当該引き違い戸を開放することができなくなる。
【００４１】
次に、取り付けた引き違い戸固定具を取り外す場合の作業手順について図６から図１０に従い説明する。
【００４２】
第２棒体上に装備した第２棒体錠（１０２５）を構成する鍵穴（１０２５１）に鍵（１０２５３）を挿入して反時計回りに１８０度回転し、第一固定具（１０）を取り外す。
【００４３】
次に、部屋Ａ側戸板（６２）を前記第１支柱（９１）側（図６、図７で示す左側）に移動して、第２支柱（９２）と前記押し入れ側戸板（６１）の端部との間に載置された第二固定具（２０）を取り外す。
【００４４】
以上で取り外し作業が完了する。したがって、既設設備には穴、剥離跡、傷などがいっさい残らない。
【実施例２】
【００４５】
実施例２の引き違い戸固定具は、第一固定具ロック機構として第一固定具上に２個の開閉錠を装備し、第二固定具が第一固定具と同一形状である改良例である。その構成を図１１から図１９に従い説明する。
【００４６】
引き違い戸固定具（１）は、概ね四角柱形状の第１棒体基礎部（１０１１）と、前記第１棒体基礎部（１０１１）を構成する長方形状側面の短手方向中央部が突出した第１棒体凸状部（１０１２）と、前記第１棒体基礎部（１０１１）に設けた調節ネジ孔（１０１１ｈ）及び中空部（１０１３ｈ）とで構成した第１棒体（１０１）と、前記第１棒体中空部（１０１３ｈ）に嵌挿する柱状嵌挿部（１０２３）を有し概ね四角柱形状の第２棒体基礎部（１０２１）と、前記第２棒体基礎部（１０２１）を構成する長方形状側面の長手方向中央部辺りから突出した第２棒体凸状部（１０２２）とで構成した第２棒体（１０２）と、からなる第一固定具（１０）と、概ね四角柱形状の第３棒体基礎部（２０３１）と、前記第３棒体基礎部（２０３１）を構成する長方形状側面の短手方向中央部が突出した第３棒体凸状部（２０３２）と前記第３棒体基礎部（２０３１）に設けた調節ネジ孔（２０３１ｈ）及び中空部（２０３３ｈ）とで構成した第３棒体（２０３）と、前記第２棒体（１０２）と同一形状である第４棒体（２０４）と、で構成する第二固定具（２０）と、前記第２棒体（１０２）上に装備した第２棒体錠（１０２５）、前記第１棒体（１０１）上に装備した第１棒体錠（１０１５）および前記第二固定具を取り付ける部屋に設置し、前記第１棒体錠（１０１５）と繋ぐ結合体である係止ワイヤ（３０１ａ）が直結された第１棒体錠被係止レバー結合体（３０２）とから構成する第一固定具ロック機構（３０）とで構成する。
【００４７】
前記第１棒体錠（１０１５）は、前記第１棒体基礎部（１０１１）の端部近傍に備える鍵穴（１０１５１）と、前記鍵穴（１０１５１）に挿入し回動動作を行う鍵（１０１５３）と、前記鍵の回動動作に対応して先端が引っ掛かる形状の突出棒が垂直状態から水平状態又は水平状態から垂直状態に変化する被係止レバー（１０１５２）とからなる
【００４８】
前記第１棒体上に装備する被係止レバー（１０１５２）の形状及び構造について、前記鍵の回動動作に対応して先端が引っ掛かる形状の突出棒が垂直状態から水平状態又は水平状態から垂直状態に変化するが、前記係止ワイヤ（３０１ａ）もしくは前記係止ワイヤ（３０１ａ）と同等の機能を有する係止プレート（３０１ｂ）などがロックできれば良く、例えば、図１８、図１９で示す様な、鍵（１０１５３）の回動動作と対応して前記被係止レバー（１０１５２）が前記第１棒体の長手方向又は短手方向に水平に出没する被係止レバー（１０１５２）でも良い。
【００４９】
前記第２棒体錠（１０２５）は、実施例１の第２棒体錠（１０２５）と同様である。
【００５０】
前記第３棒体（２０３）は、生産効率、生産コスト又は当該引き違い戸固定具の一体包装のし易さ等も考慮し、前記第１棒体（１０１）と同一形状としている。
【００５１】
前記第４棒体（２０４）は、生産効率、生産コスト又は当該引き違い戸固定具の一体包装のし易さ等も考慮し、前記第２棒体（１０２）と同一形状としている
【００５２】
前記第一固定具ロック機構（３０）の一部である前記第１棒体錠被係止レバー結合体（３０２）について、前記係止ワイヤ（３０１ａ）を直結した球形状の第１棒体錠被係止レバー結合体（３０２）を使用しているが、前記第１棒体上に装備する被係止レバー（１０１５２）または第１棒体被結合体（１０１６）と繋ぐことにより第一固定具をロックすることができれば良く、例えば、図１６で示す様に、係止ワイヤ（３０１ａ）が分離された垂直側面から水平方向に突出した被係止部を有する概ね立方体形状の独立型の第１棒体錠被係止レバー結合体（３０３）に個別の係止ワイヤ（３０１ａ）を組み合わせる構成も採用し得る。
【００５３】
また、図１７で示す様な、係止ワイヤ（３０１ａ）が分離された金属製又は樹脂製のプレート状の第１棒体錠被係止レバー結合体（３０３）に個別の係止ワイヤ（３０１ａ）を組み合わせる構成も採用し得る。
【００５４】
また、図１８で示す様な、係止プレート（３０１ｂ）を包含する概ね直方体形状の独立型の第１棒体錠被係止レバー結合体（３０４）の構成も採用し得る。
【００５５】
なお、第１棒体錠（１０１５）を構成する前記鍵（１０１５３）と第２棒体錠（１０２５）を構成する前記鍵（１０２５３）との関係について、個別の異なる鍵でも共通する鍵でも良いが、利便上は共通する鍵にする方が好ましい。
【００５６】
次に、部屋Ａと部屋Ｂとの部屋間を仕切る引き違い戸に実施例２の引き違い戸固定具を取り付ける場合の設置作業手順について、図１１から図１５に従い説明する。
【００５７】
球形状の第１棒体錠被係止レバー結合体（３０２）を部屋Ｂ（７３）に載置し、前記第１棒体錠被係止レバー結合体（３０２）に直結された係止ワイヤ（３０１ａ）の端部を部屋Ａ（７２）に引き込んでおく。
【００５８】
部屋Ｂ側戸板（６１）及び部屋Ａ側戸板（６２）を第１支柱（９１）側に移動し、前記部屋Ｂ側戸板（６１）の端部と第２支柱（９２）との間に第二固定具（２０）を構成する第３棒体（２０３）及び第４棒体（２０４）を載置する（取り付ける）。
【００５９】
なお、前記第二固定具（２０）の長さ調節が必要な場合には、前記第４棒体（２０４）を前記第２支柱（９２）側又は部屋Ａ側戸板（６２）側に移動する。長さ調節が終われば、調節ネジ孔（２０３１ｈ）にネジを螺入し前記第二固定具（２０）の長さを固定する。
【００６０】
次に、前記部屋Ａ側戸板（６２）を前記第２支柱（９２）側に移動し、前記部屋Ａ側戸板（６２）の端部と前記第１支柱（９１）との間に第一固定具（１０）を構成する第１棒体（１０１）及び第２棒体（１０２）を載置する。
【００６１】
次に、前記第２棒体上に装備した第２棒体錠（１０２５）を構成する鍵穴（１０２５１）に、鍵（１０２５３）を挿入して時計回りに１８０度回転する。
【００６２】
前記鍵（１０２５３）の挿入後１８０度回転動作により、前記鍵（１０２５３）の回転動作と対応して固定レバー（１０２５２）が、前記第２棒体（１０２）の先端凹み部から前記部屋Ａ側戸板（６２）の裏面側の前記第４棒体（２０４）の先端凹み部に回転スライド移動する。
【００６３】
次に、前記第１棒体錠被係止レバー結合体（３０２）に直結された前記係止ワイヤ（３０１ａ）の端部を、前記第一固定具（１０）上に装備する前記被係止レバー（１０１５２）に係止した後に、前記第１棒体錠（１０１５）を構成する鍵穴（１０１５１）に、鍵（１０１５３）を挿入して時計回りに９０度回転する。
【００６４】
前記鍵（１０１５３）の挿入後９０度回転動作により、前記鍵（１０１５３）の回動動作と対応して前記被係止レバー（１０１５２）が垂直状態から水平状態に変化し、前記係止ワイヤ（３０１ａ）がロックされる。以上で取り付け作業が完了である。
【００６５】
なお、両方の鍵（１０１５３、１０２５３）を所持しない者は、当該引き違い戸を開放することができなくなる。
【００６６】
次に、取り付けた引き違い戸固定具を取り外す場合の作業手順について、図１１から図１５に従い説明する。
【００６７】
第２棒体上に装備した鍵穴（１０２５１）に鍵（１０２５３）を挿入して反時計回りに１８０度回転する。
【００６８】
第１棒体上に装備した鍵穴（１０１５１）に鍵（１０１５３）を挿入して反時計回りに９０度回転し、被係止レバー（１０１５２）から係止ワイヤ（３０１ａ）を取り外し、第一固定具（１０）を持ち上げて取り外す。
【００６９】
次に、前記部屋Ａ側戸板（６２）を第１支柱（９１）側に移動して、部屋Ｂ側戸板（６１）の端部と前記第２支柱（９２）との間に載置された第二固定具（２０）を取り外す。
【００７０】
以上で取り外し作業が完了する。したがって、既設設備には穴、剥離跡、傷などがいっさい残らない。
【実施例３】
【００７１】
実施例３の引き違い戸固定具は、第一固定具及び第一棒体ロック機構の構成が異なる（１個の開閉錠と１体の第１棒体被結合体）変形例である。その構成について異なる部分を中心に図２４から図２５に従い説明する。
【００７２】
引き違い戸固定具（１）は、第１棒体（１０１）及び第２棒体（１０２）からなる第一固定具（１０）と、第３棒体及び第４棒体からなる第二固定具（図示せず）と、第一固定具をロックすることができる第一固定具ロック機構（３０）とで構成する。
【００７３】
前記第一固定具（１０）の構成について、四角柱形状の第１棒体基礎部（１０１１）と、前記第１棒体基礎部（１０１１）に設けた調節ネジ孔（図示せず）及び中空部（１０１３ｈ）と、前記第１棒体基礎部（１０１１）に直接打ち込み固着した第１棒体被結合体（１０１６）と、で構成した第１棒体（１０１）と、前記第１棒体中空部（１０１３ｈ）に嵌挿する柱状嵌挿部（１０２３）を有し概ね四角柱形状の第２棒体基礎部（１０２１）で構成した第２棒体（１０２）とで構成する（図２４）。
【００７４】
上述したが、前記第一固定具ロック機構（３０）は、前記第一固定具（１０）を不用意に取り外されること（持ち上げ、引っ張りなど）を防止するための機構であることから様々な構成を採用し得るが、本実施例では、前記第１棒体（１０１）上に直接打ちつけた第１棒体被結合体（１０１６）および前記第１棒体被結合体（１０１６）と繋ぐ結合体である係止ワイヤ（３０１ａ）と、前記係止ワイヤ（３０１ａ）の他端に接続し前記第二固定具を取り付ける部屋に設置する着脱自在具（３０１ａ１）と、金属製又は樹脂製のプレート状の第１棒体錠被係止レバー結合体（３０３）と、前記第１棒体錠被係止レバー結合体（３０３）に接続された中継輪体（３０１ａ２）と、第２棒体（１０２）上に装備した第２棒体錠（１０２５）と、から構成する（図２４及び図２５）。
【００７５】
その他の構成については、実施例１又は実施例２と略同様であるので省略する。また、動作についても実施例１又は実施例２と略同様であるので省略する。
【産業上の利用可能性】
【００７６】
本願発明の引き違い戸の固定具および引き違い戸の開放阻止方法は、取り付け・取り外しなどの操作性および特定の適用場面で使用する場合に適したものであるので、産業上の利用性を有する。
【符号の説明】
【００７７】
１          引き違い戸固定具
１０        第一固定具
１０１      第１棒体
１０１１    第１棒体基礎部
１０１１ｈ  調節ネジ孔
１０１２    第１棒体凸状部
１０１３ｈ  第１棒体中空部
１０１５    第１棒体錠（開閉錠）
１０１５１  鍵穴
１０１５２  被係止レバー
１０１５３  鍵
１０１６    第１棒体被結合体
１０２      第２棒体
１０２１    第２棒体基礎部
１０２２    第２棒体凸状部
１０２３    柱状嵌挿部
１０２５    第２棒体錠（開閉錠）
１０２５１  鍵穴
１０２５２  固定レバー
１０２５３  鍵
２０        第二固定具
２０１      第３棒体
２０２      伸縮自在棒
２０３      第３棒体
２０３１    第３棒体基礎部
２０３１ｈ  調節ネジ孔
２０３２    第３棒体凸状部
２０３３ｈ  第３棒体中空部
２０４      第４棒体
３０        第一固定具ロック機構
３０１ａ    係止ワイヤ（結合体）
３０１ａ１  着脱自在具（結合体）
３０１ａ２  中継輪体
３０１ｂ    係止プレート部（結合体）
３０２      第１棒体錠被係止レバー結合体（係止ワイヤ直結タイプ）
３０３      第１棒体錠被係止レバー結合体（係止ワイヤ分離タイプ）
３０４      第１棒体錠被係止レバー結合体（係止プレート包含タイプ）
６１        押し入れ側戸板、部屋Ｂ側戸板（第１戸板）
６２        部屋Ａ側戸板（第２戸板）
７１        押し入れ
７２        部屋Ａ
７３        部屋Ｂ
９１        第１支柱
９２        第２支柱
【図１】
2013241828.tif 000003
【図２】
2013241828.tif 000004
【図３】
2013241828.tif 000005
【図４】
2013241828.tif 000006
【図５】
2013241828.tif 000007
【図６】
2013241828.tif 000008
【図７】
2013241828.tif 000009
【図８】
2013241828.tif 000010
【図９】
2013241828.tif 000011
【図１０】
2013241828.tif 000012
【図１１】
2013241828.tif 000013
【図１２】
2013241828.tif 000014
【図１３】
2013241828.tif 000015
【図１４】
2013241828.tif 000016
【図１５】
2013241828.tif 000017
【図１６】
2013241828.tif 000018
【図１７】
2013241828.tif 000019
【図１８】
2013241828.tif 000020
【図１９】
2013241828.tif 000021
【図２０】
2013241828.tif 000022
【図２１】
2013241828.tif 000023
【図２２】
2013241828.tif 000024
【図２３】
2013241828.tif 000025
【図２４】
2013241828.tif 000026
【図２５】
2013241828.tif 000027